(57)【要約】【課題】ネットワークを用いた音声通信において、使用形態に応じて音声出力の形態を切り換えることのできる音声通信端末装置を提供する。【解決手段】音声通信端末装置は、外部マイクおよび外部イヤホンが接続される周辺機器接続部と、マイクから入力された音声をネッワーク通信部に入力する送信回路と、ネットワーク通信部が受信した音声信号をスピーカに出力する受信回路と、送信回路をオン／オフするＰＴＴスイッチとを備える。また、周辺機器接続部に周辺機器が接続されない状態でＰＴＴスイッチが操作されたとき、送信回路をオンするとともに受信回路から出力される音声信号を無音にし、周辺機器接続部に外部マイクおよび外部イヤホンが接続された状態で外部マイクから入力される音声のレベルが一定レベルを超えたとき、受信回路をオンしたままで前記送信回路をオンする制御部を備える。【選択図】図２
2015091120.tif 000002
【特許請求の範囲】
【請求項１】
ネットワークを介して通信相手の装置と音声信号を送受信するネットワーク通信部と、
内部マイクと、
内部スピーカと、
外部マイクおよび外部イヤホンが接続される周辺機器接続部と、
前記マイクから入力された音声を前記ネッワーク通信部に入力する送信回路と、
前記ネットワーク通信部が受信した音声信号をスピーカに出力する受信回路と、
前記送信回路をオン／オフするＰＴＴ（プッシュ・トゥ・トーク）スイッチと、
前記周辺機器接続部に前記周辺機器が接続されない状態で、前記ＰＴＴスイッチが操作されたとき、前記送信回路をオンするとともに、前記受信回路から出力される音声信号を無音にし、前記周辺機器接続部に外部マイクおよび外部イヤホンが接続された状態で、前記外部マイクから入力される音声のレベルが一定レベルを超えたとき、前記受信回路をオンしたままで前記送信回路をオンする制御部と、
を備えた音声通信端末装置。
【請求項２】
前記送信回路は、入力された信号を前記ネットワーク通信部に入力するとともに、前記受信回路にも入力する側音機能を有し、
前記制御部は、前記周辺機器接続部に外部マイクおよび外部イヤホンが接続された状態で、前記外部マイクから入力される音声のレベルが一定レベルを超えたとき、前記送信回路の側音機能を有効にする
請求項１に記載の音声通信端末装置。
【請求項３】
ネットワークを介して通信相手の装置と音声信号を送受信するネットワーク通信部と、
内部マイクと、
内部スピーカと、
外部の周辺機器が接続される周辺機器接続部と、
前記マイクから入力された音声を前記ネッワーク通信部に入力する送信回路と、
前記ネットワーク通信部が受信した音声信号をスピーカに出力する受信回路と、
前記送信回路をオン／オフするＰＴＴ（プッシュ・トゥ・トーク）スイッチと、
前記周辺機器接続部に前記周辺機器が接続されない状態で、前記ＰＴＴスイッチが操作されたとき、前記送信回路をオンするとともに、前記受信回路から出力される音声信号を無音にし、前記周辺機器接続部に、前記周辺機器として、外部ＰＴＴスイッチ付きの外部マイクが接続された状態で、前記外部ＰＴＴスイッチが操作されたとき、前記受信回路をオンしたままで前記送信回路をオンする制御部と、
を備えた音声通信端末装置。
【請求項４】
前記ネットワーク通信部は、無線ローカル・エリア・ネットワークを含むネットワークを介してサーバ装置と通信し、前記音声信号を音声パケットとして送受信し、
前記音声パケットは、前記サーバ装置による中継によって前記通信相手の装置との間で転送される
請求項１乃至請求項３に記載の音声通信端末装置。と
【発明の詳細な説明】
【技術分野】
【０００１】
この発明は、無線ＬＡＮなどのネットワークを用いた音声通信システムに用いられる端末装置に関する。
【背景技術】
【０００２】
ハンディトランシーバは、片手で持ち、プッシュ・トゥ・トーク（ＰＴＴ）スイッチを押しながら口に近づけて話し、ＰＴＴスイッチを離した状態で耳に近づけて相手の音声を聴くというシンプレックス通信が通常の使い方である。一方、近年フルデュープレックスの通信ができるハンディ・トランシーバも実用化されている。フルデュープレックスの通信は、自己の音声の送信時も相手装置から受信した音声を出力する通信である。
【先行技術文献】
【特許文献】
【０００３】
【特許文献１】特開２００７−９６９５７号公報
【発明の概要】
【発明が解決しようとする課題】
【０００４】
フルデュープレックスの通信を行う場合、マイクとスピーカが同時に有効になることから、スピーカから放音された音声がマイクに回りこんでハウリングを起こさないように、イヤホンとマイクを有するヘッドセットの使用が要求される。また、フルデュープレックスの通信は、電話のように相手の音声を聴きながら話すため、自己の発話音声も、イヤホンから若干漏れ聞こえる音声（側音）として出力されたほうが話しやすい。
【０００５】
このように、ハンディ・トラシーバでも、シンプレックス／フルデュープレックスの通信モード、すなわち、ヘッドセットなどの周辺機器の接続状態によって、スピーカ（イヤホン）から出力されることが望まれる音声は様々である。
【０００６】
この発明は、ネットワークを用いた音声通信において、使用形態に応じて、音声出力の形態を切り換えることのできる音声通信端末装置を提供することを目的とする。
【課題を解決するための手段】
【０００７】
この発明の音声通信端末装置は、ネットワークを介して通信相手の装置と音声信号を送受信するネットワーク通信部と、内部マイクと、内部スピーカと、外部マイクおよび外部イヤホンが接続される周辺機器接続部と、マイクから入力された音声をネッワーク通信部に入力する送信回路と、ネットワーク通信部が受信した音声信号をスピーカに出力する受信回路と、送信回路をオン／オフするＰＴＴスイッチとを備えている。さらに、周辺機器接続部に周辺機器が接続されない状態でＰＴＴスイッチが操作されたとき、送信回路をオンするとともに受信回路から出力される音声信号を無音にし、周辺機器接続部に外部マイクおよび外部イヤホンが接続された状態で外部マイクから入力される音声のレベルが一定レベルを超えたとき、受信回路をオンしたままで前記送信回路をオンする制御部を備えている。ここで、受信回路から出力される音声信号を無音にするとは、音声信号の信号レベルを０に書き換えることで無音信号を出力してもよく、受信回路の一部または全部を停止させて音声信号が出力されないようにしてもよい。
【０００８】
送信回路が、入力された音声をネットワーク通信部に入力するとともに、受信回路にも入力する側音機能を有しており、制御部が、周辺機器接続部に外部マイクおよび外部イヤホンが接続された状態で外部マイクから入力される音声のレベルが一定レベルを超えたとき、送信回路の側音機能を有効にしてもよい。
【０００９】
この発明の他の音声通信端末装置は、ネットワークを介して通信相手の装置と音声信号を送受信するネットワーク通信部と、内部マイクと、内部スピーカと、外部の周辺機器が接続される周辺機器接続部と、マイクから入力された音声をネッワーク通信部に入力する送信回路と、ネットワーク通信部が受信した音声信号をスピーカに出力する受信回路と、送信回路をオン／オフするＰＴＴスイッチとを備えている。さらに、周辺機器接続部に周辺機器が接続されない状態でＰＴＴスイッチが操作されたとき、送信回路をオンするとともに受信回路から出力される音声信号を無音にし、周辺機器接続部に外部ＰＴＴスイッチ付きの外部マイクが接続された状態で外部ＰＴＴスイッチが操作されたとき、受信回路をオンしたままで前記送信回路をオンする制御部を備えている。
【００１０】
上記発明において、ネットワーク通信部は、無線ローカル・エリア・ネットワークを含むネットワークを介してサーバ装置と通信し、音声信号を音声パケットとして送受信するものであってもよい。この場合、音声パケットは、サーバ装置による中継によって通信相手の装置との間で転送される。
【発明の効果】
【００１１】
この発明によれば、使用形態に応じてスピーカ・イヤホンから出力される音声が切り換えられるため、ハウリングなどを生じずユーザの使用形態に合った音声の出力を実現することができる。
【図面の簡単な説明】
【００１２】
【図１】この発明の実施形態である端末装置が用いられる音声通信システムの構成図である。
【図２】端末装置のブロック図である。
【図３】サーバ装置のブロック図である。
【図４】端末装置の制御部の動作を示すフローチャートである。
【図５】端末装置の制御部の動作を示すフローチャートである。
【図６】端末装置の制御部の動作を示すフローチャートである。
【発明を実施するための形態】
【００１３】
図面を参照してこの発明の端末装置が用いられる音声通信システムについて説明する。図１は、音声通信システムの構成図である。この音声通信システムは、Ｗｉ−Ｆｉなどの無線ＬＡＮ１６を用いて、端末装置１４相互の通信を可能にした音声通信システムである。端末装置１４は、無線通信用のハンディトランシーバに似た形状をしており、図２に示すようにＰＴＴ（プッシュ・トゥ・トーク）スイッチ２２０を備えているが、機能的には、無線アクセスポイント（ＡＰ）１３を介して音声パケットを送受信する無線ネットワーク機器である。中継装置であるサーバ装置１１は、有線ＬＡＮ１５および無線ＬＡＮ１６を経由した端末装置１４相互の通信を中継する。なお、以下、有線ＬＡＮ１５および無線ＬＡＮ１６を総称してネットワーク１７と呼ぶ。
【００１４】
有線ＬＡＮ１５として、Ｅｔｈｅｒｎｅｔ（登録商標）などが適用可能である。また、無線ＬＡＮ１６として、Ｗｉ−ＦｉなどＩＥＥＥ８０２．１１に準拠した通信方式などが適用可能である。端末装置１４と無線アクセスポイント１３とは、この通信方式で通信する。
【００１５】
無線アクセスポイント１３は、複数設置されている。各無線アクセスポイント１３は、たとえば、ビルの異なるフロア、異なる部屋などにそれぞれ設置される。これにより、端末装置１４がどの無線アクセスポイント１３と通信しているかによって、その端末装置１４がどのフロア／部屋にいるかを推定することができる。
【００１６】
また、有線ＬＡＮ１５には、管理装置１２が接続されている。管理装置１２は、たとえば、管理プログラムがインストールされたパーソナルコンピュータなどで構成されている。管理装置１２は、管理者の操作に応じてサーバ装置１１にアクセスし、サーバ装置１１を管理する。また、管理装置１２は、１台の端末装置としても機能し、他の端末装置１４との通信が可能である。
【００１７】
端末装置１４は、ユーザの通話音声信号を音声パケット（ＲＴＰパケット）にしてサーバ装置１１に送信する。サーバ装置１１は、この音声信号を通信相手の端末装置１４に転送する。通信の形態は、１対１の個別通信、３台以上が相互に通信するグループ通信があり、端末装置１４からの要求に応じた形態の通信セッションをサーバ装置１１が確立する。
【００１８】
また、端末装置１４には、ヘッドセットやイヤホンなどの周辺機器を接続可能であり、接続された周辺機器に応じて、動作モードを切り換える。詳細は後述する。
【００１９】
図２は、端末装置１４のブロック図である。上述したように、端末装置１４は、機能的には、無線ＬＡＮの無線アクセスポイント（ＡＰ）１３を介して音声パケットを送受信する無線ネットワーク機器である。装置の動作を制御する制御部２０はマイクロプロセッサで構成される。制御部２０は、各種のデータが記憶される記憶部２１を有している。この記憶部２１には、ファームウェアやサーバ装置１１からダウンロードされたデータなどが記憶される。
【００２０】
制御部２０には、操作部２２、表示部２３、切換部２４、オーディオ回路２５、オーディオ信号処理部２６、パケット処理部２７および無線ＬＡＮ通信部２８が接続されている。操作部２２は、ＰＴＴスイッチ２２０などのキースイッチを含み、ユーザの操作を受け付けてその操作信号を制御部２０に入力する。表示部２３は液晶ディスプレイを含む。液晶ディスプレイには、ユーザの操作によって選択された通信相手の識別番号や着信した通信相手の識別番号などが表示される。
【００２１】
オーディオ回路２５は、アナログのオーディオ信号を増幅する回路であり、端末装置１４に内蔵されている内部マイク２４０、または、マイク端子２４２に接続された外部マイク２５１から入力された送信オーディオ信号を増幅する送信オーディオ回路２５５、および、オーディオ信号処理部２６から入力された（ネットワーク１７を介して受信された）受信オーディオ信号を増幅する受信オーディオ回路２５６を有している。
【００２２】
オーディオ回路２５には切換部２４が接続されている。切換部２４には、内部マイク２４０および内部スピーカ２４１が接続されている。また、切換部２４は、マイク端子２４２およびスピーカ端子２４３を有している。マイク端子２４２には、外部マイク２５１が接続される。スピーカ端子２４３には、外部スピーカ（イヤホン）２５２が接続される。外部マイク２５１、外部スピーカ２５２は、たとえば、図示のＶＯＸ対応のヘッドセット２５０や、ＰＴＴスイッチ付きのマイク、イヤホンなどの周辺機器である。ユーザは、端末装置１４の使用形態に応じて、上記周辺機器を接続して、または、何も接続せずに使用する。端末装置１４の制御部２０は、接続された周辺機器に応じて動作モードを切り換える。
【００２３】
切換部２４は、マイク端子２４２に外部マイク２５１が接続されたとき、送信オーディオ回路２５５に接続するマイクを、内部マイク２４０から外部マイク２５１に切り換える。また、切換部２４は、スピーカ端子２４３に外部スピーカ２５２が接続されたとき、受信オーディオ回路２５６に接続するスピーカを、内部スピーカ２４１から外部スピーカ２５２に切り換える。
【００２４】
オーディオ回路２５には、オーディオ信号処理部２６が接続されている。オーディオ信号処理部２６は、オーディオ回路２５側にＡ／ＤコンバータおよびＤ／Ａコンバータを備え、デジタルのオーディオ信号を処理する。オーディオ信号処理部２６は、ＤＳＰなどで構成される。デジタルのオーディオ信号処理部２６もアナログのオーディオ回路２５と同様に、送信オーディオ信号を処理する送信オーディオ信号処理部２６５および受信オーディオ信号を処理する受信オーディオ信号処理部２６６を有している。送信オーディオ信号処理部２６５および受信オーディオ信号処理部２６６の動作については後述する。
【００２５】
パケット処理部２７は、オーディオ信号処理部２６（送信オーディオ信号処理部２６５）から入力されたオーディオ信号を音声パケット化して無線ＬＡＮ通信部２８に入力する。また、パケット処理部２７は、受信した音声パケットからオーディオ信号を取り出してオーディオ信号処理部２６に入力するとともに、音声パケットから制御データを取り出して制御部２０に入力する。
【００２６】
無線ＬＡＮ通信部２８は、上述のＩＥＥＥ８０２．１１に準拠した通信方式で無線通信を行う回路を有する。パケット処理部２７から入力されたパケットを無線アクセスポイント１３に向けて送信するとともに、無線アクセスポイント１３から受信したパケットをパケット処理部２７に入力する。
【００２７】
図３は、サーバ装置１１のブロック図である。上記の処理を行うため、サーバ装置１１は、制御部３０、記憶部３１およびネットワーク通信部３２を有している。記憶部３１は、たとえばハードディスクやＲＡＭなどで構成され、各種のテーブル、端末装置用のファームウェア、各端末装置１４の設定データなどが記憶される。制御部３０は、音声信号のミキシングや端末装置１４の管理などを行う。ネットワーク通信部３２は、このサーバ装置１１と有線ＬＡＮ１５との通信を制御する。
【００２８】
サーバ装置１１は、ネットワーク１７を介して端末装置１４から入力される音声パケット（音声信号）を、さらにネットワーク１７を介して他の端末装置１４に転送する。グループ通信の場合は、そのグループに属する複数の端末装置１４に音声信号を転送する。また、グループ通信の場合、複数の端末装置１４のユーザが同時に発言し、複数の端末装置１４から同時に音声パケットが送信されてくる場合がある。この場合、サーバ装置１１は、これら複数の音声パケットの音声信号をミキシングして新たな音声パケットを編集し、この新たな音声パケットを各端末装置１４に転送する。なお、音声信号を送信していない端末装置１４に対しては、全ての音声信号をミキシングして転送し、音声信号を送信してきた端末装置１４に対しては、その端末装置１４が送信した音声信号を外して、それ以外の音声信号をミキシングして転送する。これにより、音声信号を送信した端末装置１４で自装置が送信した音声信号のエコーが生じないようにしている。
【００２９】
サーバ装置１１によって中継される端末装置１４同士の通信は、ネットワーク１７を介した音声パケットの転送であるため、相互に並行して音声パケットの送受信を行うことができ、この機能を用いてフルデュープレックス方式の通信が可能である。ただし、フルデュープレックスモードの場合であっても、無音の音声パケットを送信し続けることがないように、ＰＴＴスイッチ２２０（またはＶＯＸ機能（後述））により、ユーザの通話音声が入力されたときのみ音声パケットの送信を行うようにしている。
【００３０】
制御部２０は、端末装置１４にＶＯＸ対応のヘッドセット２５０またはＰＴＴマイクが接続されているとき、端末装置１４をフルデュープレックスモードで動作させ、端末装置１４に周辺機器が接続されていないとき、端末装置１４をシンプレックスモードで動作させる。
【００３１】
ここで、送信オーディオ信号処理部２６５および受信オーディオ信号処理部２６６の動作について説明する。
【００３２】
上記のフルデュープレックスモードで動作しているときは、スピーカ（イヤホン）からユーザの発話音声（側音）が聴こえてくるほうがユーザは話しやすいものである。そこで、フルデュープレックスモード時、送信オーディオ信号処理部２６５は、送信オーディオ信号を受信オーディオ信号処理部２６６に入力し、自装置のスピーカから放音させるようにしている。ただし、トランシーバとして使用される端末装置１４は、音声をスピーカ２４１から放音するため、側音を発生させるとこれがマイクに回りこんでハウリングを起こしてしまう。このため、ＶＯＸ対応のヘッドセット２５０が接続されているときのみ、送信オーディオ信号処理部２６５が受信オーディオ信号処理部２６６に送信オーディオ信号を入力する。
【００３３】
また、側音の発生時、すなわち、フルデュープレックスモードでユーザの通話音声が入力されているときに、ユーザ（端末装置１４）の移動によって、無線アクセスポイント１３の通信圏外へ出てしまった場合、側音の発生、すなわち、送信オーディオ信号処理部２６５から受信オーディオ信号処理部２６６への送信オーディオ信号の入力を停止させる。これによって、受信音声とともに側音も途切れることによって、ユーザに圏外に出たことを知らせることができる。
【００３４】
送信オーディオ信号処理部２６５は、ＶＯＸ機能を有している。ＶＯＸ機能とは、マイクの入力レベルとその持続時間に基づいて通話音声が入力されたか否かを判定し、通話音声が入力されたと判定された場合に送信動作をオンさせる機能である。この端末装置１４は、マイク端子２４２、スピーカ端子２４３にＶＯＸ対応のヘッドセット２５０が接続されているときのみ、このＶＯＸ機能を有効にし、ユーザの通話音声によって送信動作をオンさせるようにしている。
【００３５】
送信オーディオ信号処理部２６５は、オーディオ回路２５（送信オーディオ回路２５５）から入力された送信オーディオ信号をパケット処理部２７に転送する。ＶＯＸ機能が有効のときは、オーディオ回路２５（送信オーディオ回路２５５）から入力された送信オーディオ信号をバッファ（ＦＩＦＯ）メモリ２６０に蓄積することで一定時間遅延させ、この遅延させたオーディオ信号をパケット処理部２７に入力する。これにより、通話音声が入力され始めてからＶＯＸによって送信動作がオンされるまでの間の頭切れを解消している。ＰＴＴスイッチ２２０がオンされたことによって送信動作がオンされた場合は、ユーザはＰＴＴスイッチ２２０をオンしたのち話し始めると考えられるため、このような遅延は不要である。
【００３６】
受信オーディオ信号処理部２６６は、パケット処理部２７から入力されたパケット単位の受信オーディオ信号を連続時間信号に変換して、オーディオ回路２５（受信オーディオ回路２５６）に出力する。また、制御部２０の指示により、この受信オーディオ信号をミュートする。
【００３７】
ユーザは、通信をしようとするとき、まず端末装置１４を操作して通信相手を選択する。このとき、端末装置１４の表示部２３には通信相手の候補として、上述のアクティブな端末装置１４の端末番号、通信が許可されたグループ番号が表示される。表示部は小型であるため、これらの通信相手の候補がキー操作に応じて順次切り換え表示される。ユーザは、表示された候補のなかから所望のものを選択する。そして、ＰＴＴスイッチ２２０をオンし、または、声でＶＯＸをオンし、端末装置１４の制御部２０に以下のフローチャートに示すような動作を実行させる。
【００３８】
図４、図５および図６のフローチャートを参照して、端末装置１４の動作、および、接続される周辺機器に応じた受信音声、側音のオン／オフについて説明する。各動作は短時間（例えば２０ミリ秒毎）に繰り返し実行される。
【００３９】
図４は、周辺機器が接続されていないときに実行される動作を示すフローチャートである。まず、ＰＴＴスイッチ２２０のオン／オフを判断する（Ｓ１０）。オンしている場合には（Ｓ１０でＹＥＳ）、送信動作をオンし（Ｓ１１）、受信音声をミュートする（Ｓ１２）。ただし、側音はオフする（Ｓ１３）。ここで送信動作とは、端末装置１４の各部に以下の動作をさせることである。送信オーディオ回路２５５および送信オーディオ信号処理部２６５が、内部マイク２４０から入力された送信オーディオ信号をパケット処理部２７に入力する。パケット処理部２７が、送信オーディオ信号を伝送する音声パケットを作成して、無線ＬＡＮ通信部２８に入力する。無線ＬＡＮ通信部２８が、この音声パケットを送信する。また、受信音声のミュートは、受信オーディオ信号処理部２６６が、受信オーディオ信号（ＰＣＭデータ）を０レベルの信号の書き換えることにより、スピーカから放音される音声を無音にすることで行う。また、受信オーディオ信号処理部２６６および・または受信オーディオ回路２５６を停止させてオーディオ信号が出力されなくなるようにしてもよい。受信音声がミュートされている間でも、無線ＬＡＮ通信部２８およびパケット処理部２７は、ネットワーク１７から送信されてくるパケットを受信して解析している。また、側音をオフするとは、送信オーディオ信号処理部２６５から受信オーディオ信号処理部２６６への送信オーディオ信号の入力を停止することである。
【００４０】
一方、ＰＴＴスイッチ２２０がオフしている場合には（Ｓ１０でＮＯ）、送信動作をオフし（Ｓ１４）、受信音声をオンする（Ｓ１５）。送信動作がオフしており送信オーディオ信号がないため側音はオフする（Ｓ１６）。
【００４１】
図５は、ＶＯＸ対応のヘッドセット２５０が接続されている場合に実行される動作を示すフローである。まず、ＰＴＴスイッチ２２０のオン／オフを判断する（Ｓ２０）。ＶＯＸ対応のヘッドセット２５０が接続されているときは、ＶＯＸで送信動作がオン／オフされるフルデュープレックスモードで動作するが、その場合でも内蔵のＰＴＴスイッチ２２０は有効である。ＰＴＴスイッチ２２０がオンしている場合には（Ｓ２０でＹＥＳ）、送信動作をオンし（Ｓ２１）、受信音声をオフする（Ｓ２２）。ただし、側音はオフする（Ｓ２３）。
【００４２】
ＰＴＴスイッチ２２０がオフしている場合には（Ｓ２０でＮＯ）、ＶＯＸがオンしているか否かを判断する（Ｓ２４）。ＶＯＸのオンとは、一定レベル以上のオーディオ信号が外部マイク２５１から入力され、それが一定時間以上持続していることである。ＶＯＸがオンしている場合には（Ｓ２４でＹＥＳ）、送信動作をオンし（Ｓ２５）、受信音声もオンしたままにする（Ｓ２６）。このように、送信中も受信音声が聴こえるようにすることでフルデュープレックスモードの通信が実現される。また、現在無線アクセスポイント１３の通信圏内であるか否かを判断する（Ｓ２７）。通信圏内の場合には（Ｓ２７でＹＥＳ）、側音をオンする（Ｓ２８）。通信圏外の場合には（Ｓ２７でＮＯ）、側音をオフする（Ｓ３１）。
【００４３】
また、ＶＯＸもオフしている場合には（Ｓ２４でＮＯ）、送信動作をオフし（Ｓ２９）、受信音声はオンのままにする（Ｓ３０）。送信動作がオフしており送信オーディオ信号がないため側音はオフする（Ｓ３１）。
【００４４】
図６は、ＰＴＴスイッチ付きのマイク（イヤホンマイク）が接続されている場合に実行される動作を示すフローである。まず、ＰＴＴスイッチ２２０のオン／オフを判断する（Ｓ４０）。周辺機器が接続されている場合でも内蔵のＰＴＴスイッチ２２０は有効であり、外部のＰＴＴスイッチに優先する。ＰＴＴスイッチ２２０がオンしている場合には（Ｓ４０でＹＥＳ）、送信動作をオンし（Ｓ４１）、受信音声をミュートする（Ｓ４２）。ただし、側音はオフする（Ｓ４３）。
【００４５】
ＰＴＴスイッチ２２０がオフしている場合には（Ｓ４０でＮＯ）、マイクに付属の外部ＰＴＴスイッチがオンしているか否かを判断する（Ｓ４４）。外部ＰＴＴスイッチがオンしている場合には（Ｓ４４でＹＥＳ）、送信動作をオンし（Ｓ４５）、受信音声もオンしたままにする（Ｓ４６）。このように、送信中も受信音声が聴こえるようにすることでフルデュープレックスモードの通信が実現される。ＰＴＴマイクはハウリングの可能性があるため側音をオフする（Ｓ４７）。
【００４６】
また、外部ＰＴＴスイッチもオフしている場合には（Ｓ４４でＮＯ）、送信動作をオフし（Ｓ４８）、受信音声はオンのままにする（Ｓ４９）。送信動作がオフしており送信オーディオ信号がないため側音はオフする（Ｓ５０）。
【００４７】
このように、実施形態の端末装置１４は、マイク端子２４２、スピーカ端子２４３に接続された周辺機器に応じて動作モードを切り替えている。特に、ハウリングを防止しつつ、ユーザの使用形態に合わせたオーディオ信号の出力形態を切り換えている。
【００４８】
なお、マイク端子２４２、スピーカ端子２４３に接続される周辺機器は上記に限定されない。また、マイク端子２４２、スピーカ端子２４３に周辺機器が接続されてもＰＴＴスイッチ２２０を有効にしているが、これを機能させないようにしてもよい。
【符号の説明】
【００４９】
１１  サーバ装置（中継装置）
１３  無線アクセスポイント
１４  端末装置
２２０  ＰＴＴスイッチ
２４０  内部マイク
２４１  内部スピーカ
２５０  （ＶＯＸ対応の）ヘッドセット
２５１  外部マイク
２５２  外部スピーカ
【図１】
2015091120.tif 000003
【図２】
2015091120.tif 000004
【図３】
2015091120.tif 000005
【図４】
2015091120.tif 000006
【図５】
2015091120.tif 000007
【図６】
2015091120.tif 000008